(57)【要約】【課題】  ストッカーに貯蔵した景品や商品等の物品を取出口に向けて押し出す物品供給方法及び装置を提供する。【解決手段】  物品の押し出し方向に関して、上流側の第一ストッカー(3a)に収納した第一物品積層体(A)と、下流側の第二ストッカー(3b)に収納した第二物品積層体(B)とを含んで、ストッカー及び物品積層体が複数列に配置されている。先ず、第一物品積層体(A)の最下位の物品(a1)を第一移送手段(11)により第一ストッカー(3a)から第二ストッカー(3b)まで移送し、移送される該物品(a1)により第二物品積層体(B)の最下位の物品(b1)を出口(4)に押し出すと共に、前記第一ストッカー(3a)から移送された物品(a1)を第二物品積層体(B)の最下位に位置せしめる間接押出工程を実行する。その後、間接押出工程を繰り返し第一物品積層体(A)の物品が欠乏すると、第二ストッカー(3b)における第二物品積層体(B)の物品を第二移送手段(12)により最下位の物品から順に出口(4)に向けて押し出す直接押出工程が実行される。【選択図】  図６
2007041995.tif 000002
【特許請求の範囲】
【請求項１】
物品を積層した物品積層体をストッカーに収納し、最下位の物品から順に出口に向けて押し出す物品供給方法において、
前記押し出し方向に関して、上流側の第一ストッカー(3a)に配置された第一物品積層体(A)と、下流側の第二ストッカー(3b)に配置された第二物品積層体(B)とを含んで、複数列となるようにストッカー及び物品積層体を配置し、押し出し方向に往復動する移送テーブル(10)に第一移送手段(11)と第二移送手段(12)を備えた供給手段(5)を設けており、
第一物品積層体(A)の最下位の物品(a1)を第一移送手段(11)により第一ストッカー(3a)から第二ストッカー(3b)まで移送し、移送される該物品(a1)により第二物品積層体(B)の最下位の物品(b1)を出口(4)に押し出すと共に、前記第一ストッカー(3a)から移送された物品(a1)を第二物品積層体(B)の最下位に位置せしめる間接押出工程と、
前記間接押出工程を繰り返すことにより第一物品積層体(A)の物品が欠乏した後に、第二ストッカー(3b)における第二物品積層体(B)の物品を第二移送手段(12)により最下位の物品から順に出口(4)に向けて押し出す直接押出工程とから成ることを特徴とする物品供給方法。
【請求項２】
請求項１に記載の方法を実施する物品供給装置であり、
前記供給手段(5)は、駆動源(18)により物品の押し出し方向に往復動する移送テーブル(10)と、該移送テーブルの往復動により、第一ストッカー(3a)の上流端に臨む始点(P1)と第二ストッカー(3b)の上流端に臨む終点(P2)との間で往復動する第一移送手段(11)と、第二ストッカー(3b)の上流端に臨む始点(P2)と出口(4)に臨む終点(P3)との間で往復移動する第二移送手段(12)を設けており、
第一移送手段(11)は、第一物品積層体(A)における最下位の物品(a1)の底面により規定された第一基準面(L1)に対して上下動自在な第一係止手段(26)を構成し、前記間接押出工程における往動時には第一係止手段(26)を最下位の物品(a1)の上流端に係止するように該第一係止手段を上動せしめる付勢手段(29)を設けると共に、復動時には最下位の物品の底面を摺動することにより前記付勢手段に抗して該第一係止手段を下動せしめるカム手段(30)を設けており、
第二移送手段(12)は、第二物品積層体(B)における最下位の物品(b1)の底面により規定された第二基準面(L2)に対して上下動自在な第二係止手段(32)を構成し、前記直接押出工程における往動時には第二係止手段を最下位の物品(a5)の上流端に係止するように該第二係止手段を上動せしめる付勢手段(35)を設けると共に、復動時には最下位の物品の底面を摺動することにより前記付勢手段に抗して該第二係止手段を下動せしめるカム手段(36)を設けており、
前記第二移送手段(12)の第二係止手段(32)は、第一ストッカー(3a)に第一物品積層体を収納した状態では、第一物品積層体(A)の荷重により付勢手段(35)に抗して第二基準面(L2)よりも下方に下動される一方、第一物品積層体(A)の物品が欠乏した状態では、付勢手段(35)により第二基準面(L2)よりも上方に上動するように、該第二係止手段(32)の往復動の始点(P2)を第一物品積層体(A)の下方に配置して成ることを特徴とする物品供給装置。
【請求項３】
第一物品積層体(A)を積載する第一レール(13)の上面により第一基準面(L1)を形成すると共に、第二物品積層体(B)を積載する第二レール(14)の上面により第二基準面(L2)を形成し、第一基準面よりも第二基準面を高低差ｈだけ高位に設定しており、
前記高低差ｈは、物品の高さ寸法ｔに対して、ｈ＜ｔに形成され、第一基準面から第二基準面に向けて傾斜する傾斜レール(15)を設けて成ることを特徴とする請求項２に記載の物品供給装置。
【発明の詳細な説明】
【技術分野】
【０００１】
本発明は、ストッカーに貯蔵した景品や商品等の物品を取出口に向けて押し出す物品供給方法及び装置に関する。
【背景技術】
【０００２】
従来、例えば、店舗に設置したゲーム機には、ゲームの「当たり」が出たときに景品を供給する物品供給装置が設けられている。
【０００３】
このような物品供給装置は、物品を積層した物品積層体をストッカーに収納し、最下位の物品から順に出口に向けて押し出すように構成されており、自動販売機の商品搬出装置と同様に構成されている。
【特許文献１】特開平８−３１５２４０号公報
【発明の開示】
【発明が解決しようとする課題】
【０００４】
従来の物品供給装置は、積層された物品の個数が制限されているので、物品の供給によりストッカーの物品が早期に欠乏し、その都度、物品を補充しなければならない。この問題は、積み上げられる物品の個数を増加すれば解消できるが、ゲーム機等においては、ゲーム装置の下方に位置する狭い空間内にストッカーを設けなければならないので、背の高いストッカーを形成することができない。
【０００５】
そこで、それぞれ物品積層体を収納するストッカーを複数列に設ければ、物品の貯蔵個数を大幅に増加することができ、その際、複数のストッカーを上下方向ではなく、横方向に複数列のものとして配置すれば、ゲーム機等の狭い空間内にも設置可能であり、上記問題を解決できる。
【０００６】
しかしながら、それぞれの物品積層体から物品を出口に向けて押し出すための供給装置を複数列のストッカーに応じてそれぞれ設けなければならないとすると、結局、複数の物品供給装置を並設しているのと変わりがなく、装置全体の大型化とコスト高を招来するという問題がある。
【課題を解決するための手段】
【０００７】
本発明は、上記課題を解決した物品供給方法及び装置を提供するものである。そこで、本発明の物品供給方法が手段として構成したところは、物品を積層した物品積層体をストッカーに収納し、最下位の物品から順に出口に向けて押し出す物品供給方法において、前記押し出し方向に関して、上流側の第一ストッカーに配置された第一物品積層体と、下流側の第二ストッカーに配置された第二物品積層体とを含んで、複数列となるようにストッカー及び物品積層体を配置し、押し出し方向に往復動する移送テーブルに第一移送手段と第二移送手段を備えた供給手段を設けており、第一物品積層体の最下位の物品を第一移送手段により第一ストッカーから第二ストッカーまで移送し、移送される該物品により第二物品積層体の最下位の物品を出口に押し出すと共に、前記第一ストッカーから移送された物品を第二物品積層体の最下位に位置せしめる間接押出工程と、前記間接押出工程を繰り返すことにより第一物品積層体の物品が欠乏した後に、第二ストッカーにおける第二物品積層体の物品を第二移送手段により最下位の物品から順に出口に向けて押し出す直接押出工程とから成る点にある。
【０００８】
また、前記方法を実施するために、本発明の物品供給装置が手段として構成したところは、前記供給手段は、駆動源により物品の押し出し方向に往復動する移送テーブルと、該移送テーブルの往復動により、第一ストッカーの上流端に臨む始点と第二ストッカーの上流端に臨む終点との間で往復動する第一移送手段と、第二ストッカーの上流端に臨む始点と出口に臨む終点との間で往復移動する第二移送手段を設けており、第一移送手段は、第一物品積層体における最下位の物品の底面により規定された第一基準面に対して上下動自在な第一係止手段を構成し、前記間接押出工程における往動時には第一係止手段を最下位の物品の上流端に係止するように該第一係止手段を上動せしめる付勢手段を設けると共に、復動時には最下位の物品の底面を摺動することにより前記付勢手段に抗して該第一係止手段を下動せしめるカム手段を設けており、第二移送手段は、第二物品積層体における最下位の物品の底面により規定された第二基準面に対して上下動自在な第二係止手段を構成し、前記直接押出工程における往動時には第二係止手段を最下位の物品の上流端に係止するように該第二係止手段を上動せしめる付勢手段を設けると共に、復動時には最下位の物品の底面を摺動することにより前記付勢手段に抗して該第二係止手段を下動せしめるカム手段を設けており、前記第二移送手段の第二係止手段は、第一ストッカーに第一物品積層体を収納した状態では、第一物品積層体の荷重により付勢手段に抗して第二基準面よりも下方に下動される一方、第一物品積層体の物品が欠乏した状態では、付勢手段により第二基準面よりも上方に上動するように、該第二係止手段の往復動の始点を第一物品積層体の下方に配置して成る点にある。
【０００９】
本発明の実施形態において、第一物品積層体を積載する第一レールの上面により第一基準面を形成すると共に、第二物品積層体を積載する第二レールの上面により第二基準面を形成し、第一基準面よりも第二基準面を高低差ｈだけ高位に設定しており、前記高低差ｈは、物品の高さ寸法ｔに対して、ｈ＜ｔに形成され、第一基準面から第二基準面に向けて傾斜する傾斜レールを設けている。
【発明の効果】
【００１０】
本発明の物品供給方法によれば、物品の押し出し方向に関して、上流側の第一ストッカー３ａに配置された第一物品積層体Ａと、下流側の第二ストッカー３ｂに配置された第二物品積層体Ｂとを含んで、複数列となるようにストッカー及び物品積層体を配置し、押し出し方向に往復動する移送テーブル１０に第一移送手段１１と第二移送手段１２を備えた供給手段４を設けている。そこで、第一物品積層体Ａの最下位の物品ａ１を第一移送手段１１により第一ストッカー３ａから第二ストッカー３ｂまで移送し、移送される該物品ａ１により第二物品積層体Ｂの最下位の物品ｂ１を出口４に押し出し、前記第一ストッカー３ａから移送された物品ａ１を第二物品積層体Ｂの最下位に位置せしめる間接押出工程が実施される。次いで、前記間接押出工程を繰り返すことにより第一物品積層体Ａの物品が欠乏したときは、第二ストッカー３ｂにおける第二物品積層体Ｂの物品を第二移送手段１２により最下位の物品から順に出口４に向けて押し出す直接押出工程が実施される。
【００１１】
従って、それぞれ物品積層体Ａ、Ｂを収納するストッカー３ａ、３ｂを複数列に設けることにより、物品の貯蔵個数を増加することが可能であり、特に、複数のストッカー３ａ、３ｂを横方向に配置する構成であるから、ゲーム機等のような狭い空間内に設置可能となるという利点がある。
【００１２】
しかも、このように複数列に配置された物品積層体Ａ、Ｂに対して、１つの駆動源１８で往復動される１つの移送テーブル１０を設けた１つの供給手段５を配置し、移送テーブル１０に設けた第一移送手段１１により間接押出工程を実行し、第二移送手段１２により直接押出工程を実行するように構成しているので、装置が全体としてコンパクトであり、低コストを実現できるという効果がある。
【００１３】
そして、本発明の物品供給装置によれば、第一移送手段１１は、第一物品積層体Ａにおける最下位の物品ａ１の底面により規定された第一基準面Ｌ１に対して上下動自在な第一係止手段２６を構成し、前記間接押出工程における往動時には第一係止手段２６を最下位の物品ａ１の上流端に係止するように該第一係止手段２６を上動せしめる付勢手段２９を設けると共に、復動時には最下位の物品ａ２の底面を摺動することにより前記付勢手段２９に抗して該第一係止手段２６を下動せしめるカム手段３０を設けている。また、第二移送手段１２は、第二物品積層体Ｂにおける最下位の物品ｂ１の底面により規定された第二基準面Ｌ２に対して上下動自在な第二係止手段３２を構成し、前記直接押出工程における往動時には第二係止手段３２を最下位の物品ａ５の上流端に係止するように該第二係止手段３２を上動せしめる付勢手段３５を設けると共に、復動時には最下位の物品ｂ２の底面を摺動することにより前記付勢手段３５に抗して該第二係止手段３２を下動せしめるカム手段３６を設けている。従って、第一移送手段１１及び第二移送手段１２は、第一基準面Ｌ１及び第二基準面Ｌ２に対して、それぞれ積載された第一物品積層体Ａ及び第二物品積層体Ｂの最下位に位置する物品の底面との間において、自動的に上下動される構成であるから、別途その上下動のための動力等を必要とせず、構造がシンプルであり、低コストにて装置を提供できる効果がある。
【００１４】
特に、本発明の装置によれば、前記第二移送手段１２の第二係止手段３２は、第一ストッカー３ａに第一物品積層体Ａを収納した状態では、第一物品積層体Ａの荷重により付勢手段３５に抗して第二基準面Ｌ２よりも下方に下動される一方、第一物品積層体Ａの物品が欠乏した状態では、付勢手段３５により第二基準面Ｌ２よりも上方に上動するように、該第二係止手段３２の往復動の始点Ｐ２を第一物品積層体Ｂの下方に配置した構成であるから、前述のような間接押出工程を良好に可能ならしめ、しかも、間接押出工程の後は、自動的に直接押出工程を可能にするという格別な効果がある。
【００１５】
そして、第一物品積層体Ａを積載する第一レール１３の上面により形成した第一基準面Ｌ１に対して、第二物品積層体Ｂを積載する第二レール１４の上面により形成した第二基準面Ｌ２を高位に設定し、第一基準面Ｌ１から第二基準面Ｌ２に向けて上り勾配となる傾斜レール１５を設けているので、間接押出工程において、第一移送手段１１により移送される物品ａ１が第二物品積層体Ｂの最下位の物品ｂ１よりも上位の物品ｂ２に係止することはなく、最下位の物品ｂ１だけを出口４に向けて好適に押し出すことが可能となる。しかも、第一基準面Ｌ１と第二基準面Ｌ２の高低差ｈは、物品の高さ寸法ｔに対して、ｈ＜ｔに形成しているので、間接押出工程で移送される物品ａ１が第二物品積層体Ｂの最下位の物品ｂ１の下に潜り込むようなこともなく、該物品ｂ１を好適に押し出すという効果がある。
【発明を実施するための最良の形態】
【００１６】
以下図面に基づいて本発明の好ましい実施形態を詳述する。
【００１７】
図１は、本発明をゲーム機１における景品の供給装置に適用した実施形態を例示している。ゲーム機１は、上部に搭載されたゲーム装置２の下方空間にストッカー３を形成し、物品ａ、ｂを積層した物品積層体をストッカー３に収納すると共に、物品ａ、ｂを物品積層体の最下位の物品から順に出口４に向けて押し出すための供給手段５をストッカー３の下方に設けている。尚、出口４に押し出された物品ｍは、シュート６を備えた搬出手段７によりゲーム機１の正面側に搬出される。但し、本発明の物品供給装置は、図例のようなゲーム機１における景品供給装置の他、商品の自動販売機や、その他の機器における物品供給装置としても実施可能であることを理解されたい。
【００１８】
図１に示すように、ストッカー３は、前記押し出し方向に関して、上流側に配置された第一ストッカー３ａと、下流側に配置された第二ストッカー３ｂとを含んで、複数列となるように配置され、第一ストッカー３ａ及び第二ストッカー３ｂにそれぞれ第一物品積層体Ａ及び第二物品積層体Ｂを収納している。以下、２列に配置された第一ストッカー３ａの第一物品積層体Ａと、第二ストッカー３ｂの第二物品積層体Ｂから物品を１個ずつ搬出する具体例を説明するが、本発明の基本的構成は、３列以上の場合であっても同様に構成できることを理解されたい。
【００１９】
図示のように、第一ストッカー３ａの上流側の側面は規制壁８ａにより区成され、第二ストッカー３ｂの下流側の側面は規制壁８ｂにより区成され、両規制壁８ａ、８ｂの間の空間により第一ストッカー３ａと第二ストッカー３ｂを形成している。この際、規制壁８ａは、第一物品積層体Ａの最下位の物品ａの上流端を開放することにより開口９を形成しており、また、規制壁８ｂは、第二物品積層体Ｂの最下位の物品ｂの下流端を開放することにより前記出口４を形成している。
【００２０】
物品ａ、ｂは、図示実施形態のようなゲーム機１の景品としては、例えば、録画済みのＤＶＤや、録音済みのＣＤ等のようなディスクを収納した盤状のケースを構成し、全ての物品が同形同大に形成され、前記押し出し方向に関する物品ａ、ｂの幅寸法に関して、第一物品積層Ａの幅寸法Ｍ１と第二物品積層体Ｂの幅寸法Ｍ２を等しく形成している。
【００２１】
（供給方法）
後述するように、供給手段５は、前記押し出し方向に往復動する移送テーブル１０に第一移送手段１１と第二移送手段１２を設けた構成とされており、以下に説明する間接押出工程の後、直接押出工程を実施することにより、物品ａ、ｂを１個ずつストッカー３から出口４に向けて押し出し、搬出手段７により搬出させるように構成されている。この際、第一移送手段１１は、第一物品積層体Ａの物品ａをストロークＳ１だけ出口４に向けて移送し、第二移送手段１２は、第二物品積層体Ｂの物品ｂをストロークＳ２だけ出口４に向けて移送する。ストロークＳ１は第一物品積層Ａの幅寸法Ｍ１に相当し、ストロークＳ２は第二物品積層体Ｂの幅寸法Ｍ２に相当する。
【００２２】
（間接押出工程）
図２（Ａ）に示すように、第一ストッカー３ａ及び第二ストッカー３ｂがそれぞれ第一物品積層体Ａ及び第二物品積層体Ｂにより物品ａ、ｂを満載した状態において、第一物品積層体Ａには最下位から最上位に至るまで物品ａ１ないしａ５が積層され、第二物品積層体Ｂには最下位から最上位に至るまで物品ｂ１ないしｂ５が積層されている。
【００２３】
そこで、ゲーム装置２からの当たり信号を受けて供給手段５が駆動されると、移送テーブル１０が往動することにより第一移送手段１１が移動され、図２（Ａ）に矢印で示すように、第一物品積層体Ａにおける最下位の物品ａ１をストロークＳ１だけ移送する。この物品ａ１が移動することにより、図２（Ｂ）に示すように、第二物品積層体Ｂにおける最下位の物品ｂ１が出口４に押し出され、景品として搬出される。そして、第一物品積層体Ａから移送された前記物品ａ１は、第二物品積層体Ｂの最下位に位置せしめられる。このように、第一物品積層体Ａに物品ａが存在する限り、上流側の物品ａ１が下流側の物品ｂ１を出口４に押し出すという間接押出工程が実施され、物品を１個ずつ搬出するように構成されている。
【００２４】
図２（Ｃ）は、間接押出工程を繰り返すことにより、第一物品積層体Ａに最後の１個の物品ａ５が残存した状態を示しており、第二物品積層体Ｂの最下位には、その１工程前に第一物品積層体Ａから移送された物品ａ４が配置されている。そこで、この状態で、ゲーム装置２からの当たり信号を受けて供給手段５が駆動されると、最後の物品ａ５が移送されると共に、第二物品積層体Ｂの最下位の物品ａ４を出口４に押し出す。第一物品積層体Ａから移送された最後の物品ａ５は、第二物品積層体Ｂの最下位に位置し、これにより第一物品積層体Ａ（第一ストッカー３ａ）の物品が欠乏する。
【００２５】
（直接押出工程）
上述のように、第一物品積層体Ａ（第一ストッカー３ａ）の物品が欠乏した後は、第二物品積層体Ｂの物品を出口４に向けて押し出す直接押出工程が実施される。即ち、ゲーム装置２からの当たり信号を受けて供給手段５が駆動されると、移送テーブル１０が往動することにより第二移送手段１２が移動され、図２（Ｅ）（Ｆ）に矢印で示すように、第二物品積層体Ｂにおける最下位の物品ａ５をストロークＳ２だけ移送することにより出口４に押し出し搬出する。最下位の物品ａ５が押し出されると、上位の物品ｂ２が下降して第二物品積層体Ｂの最下位に位置し、次の直接押出工程のために待機する。
【００２６】
（供給装置）
図３及び図６に基づいて、供給手段５の詳細を説明する。第一ストッカー３ａ及び第二ストッカー３ｂは、それぞれ第一物品積層体Ａを積載するための第一レール１３と第二レール１４を備えており、第一レール１３の上面により第一基準面Ｌ１を形成すると共に、第二レール１４の上面により第二基準面Ｌ２を形成している。従って、第一基準面Ｌ１には、第一物品積層体Ａの最下位の物品ａ１の底面が位置し、第二基準面Ｌ２には、第二物品積層体Ｂの最下位の物品ｂ１の底面が位置する。図６に示すように、第二基準面Ｌ２は、第一基準面Ｌ１に対して高低差ｈだけ高位に設定されており、第一基準面Ｌ１から第二基準面Ｌ２に向けて上り勾配を有するように傾斜する傾斜レール１５が設けられている。この際、高低差ｈは、物品の高さ寸法ｔ（盤状物品の厚さ寸法）に対して、ｈ＜ｔに形成されている。尚、第一レール１３、第二レール１４、傾斜レール１５は、物品の押し出し方向に平行な一対のレールを構成しており、平行な一対のレールの間を移送テーブル１０が押し出し方向に往復動する。
【００２７】
移送テーブル１０は、前記レール１３、１４、１５の下方にほぼ水平に延びる走行レール１６に沿って走行する車輪１７を備えた台車を構成しており、モータ等の駆動源１８により往復動される。即ち、基台１９に固設された駆動原１８により駆動回転される駆動板２０の直径方向に駆動アーム２１が固設され、該駆動アーム２１の先端に設けた駆動ピン２２を移送テーブル１０の幅方向（押し出し方向に直交する方向）に形成されたスリット２３に挿通し係合せしめている。スリット２３は、駆動ピン２２の回転軌跡の直径と同じかそれ以上の長さを有している。従って、移送テーブル１０は、図３ないし図５に示すように、駆動アーム２１を１８０度回転させることにより、始点（図３）から終点（図５）まで押し出し方向に往動し、図示省略しているが、更に１８０度回転させることにより、終点から始点まで復動する。尚、図６に示すように、駆動板２０には長孔等の作動手段２４が設けられ、駆動板２０が３６０度回転したときリミットスイッチ等の検知手段２５を作動し、移送テーブル１０が往復動の１行程を終了したことを検知せしめる。従って、図示実施形態のようなゲーム機１の場合、供給手段５がゲーム装置２から当たり信号を受信すると、駆動源１８を作動することにより移送テーブル１０を往復動させ、往復動の１行程を終了すると、検知手段２５から検知信号を出力することにより、駆動源１８を停止させると共に、ゲーム装置２の当たり信号をリセットし、その後、新たにゲーム装置２から当たり信号を受信するまで待機する。
【００２８】
図３に示すように、移送テーブル１０の上流側端には第一移送手段１１が設けられ、下流側端には第二移送手段１２が設けられている。第一移送手段１１は、移送テーブル１０が往復動したとき、第一ストッカー３ａに収納された第一物品積層体Ａの上流端に臨む始点Ｐ１と、第二ストッカー３ｂに収納された第二物品積層体Ｂの上流端に臨む終点Ｐ２との間で、ストロークＳ１に相当して往復動する。また、第二移送手段１２は、移送テーブル１０が往復動したとき、第二ストッカー３ｂに収納された第二物品積層体Ｂの上流端に臨む始点Ｐ２（前記第一物品積層体Ａの上流端Ｐ２に等しい）と、第二ストッカー３ｂに収納された第二物品積層体Ｂの下流端、即ち、出口４に臨む終点Ｐ３との間で、ストロークＳ２に相当して往復動する。従って、始点Ｐ１に位置した状態の第一移送手段１１は、第一物品積層体Ａの上流端よりも更に上流側に位置するが、始点Ｐ２に位置した状態の第二移送手段１２は、第二物品積層体Ｂの上流端よりも更に上流側で第一物品積層体Ａの下側に位置している。
【００２９】
図６に示すように、第一移送手段１１は、第一基準面Ｌ１に対して上下動自在な第一係止手段２６を構成している。第一係止手段２６は、押し出し方向に交差する支軸２７を介して回動自在に軸支され、押し出し方向の先端側に形成された係止部２８を第一基準面Ｌ１よりも上方に突出させる方向に上動するように付勢するスプリング等の付勢手段２９を設けており、係止部２８から押し出し方向の反対方向に向かい次第に下向き傾斜面となるカム手段３０を形成している。尚、付勢手段２９により上動された状態で、第一係止手段２６の尾端には移送テーブル１０に当接するストッパー３１が設けられている。
【００３０】
第二移送手段１２は、第一移送手段１１とほぼ同様の構成のものとされ、第二基準面Ｌ２に対して上下動自在な第二係止手段３２を構成している。即ち、第二係止手段３２は、押し出し方向に交差する支軸３３により軸支され、押し出し方向の先端側に形成された係止部３４を第一基準面Ｌ２よりも上方に突出させる方向に上動するように付勢するスプリング等の付勢手段３５を設けており、係止部３４から押し出し方向の反対方向に向かい次第に下向き傾斜面となるカム手段３６を形成している。尚、付勢手段３５により上動された状態で、第二係止手段３２の尾端が移送テーブル１０に当接するストッパー３７を構成している。
【００３１】
（間接押出工程）
図３、図７及び図６は、第一ストッカー３ａ及び第二ストッカー３ｂがそれぞれ第一物品積層体Ａ及び第二物品積層体Ｂにより物品ａ、ｂを満載した状態を示している。即ち、第一物品積層体Ａには最下位から最上位に至るまで物品ａ１ないしａ５が積層され、第二物品積層体Ｂには最下位から最上位に至るまで物品ｂ１ないしｂ５が積層されている。
【００３２】
この状態において、第一移送手段１１は、その往動前の始点Ｐ１に位置することにより、付勢手段２９により第一係止手段２６を上動した状態とされ、第一ストッカー３ａの開口９を介して係止部２８を第一物品積層体Ａの最下位の物品ａ１の上流端に臨ませている。一方、第二移送手段１２は、その往動前の始点Ｐ２に位置せしめられ、第一物品積層体Ａの荷重を受けることにより、第二係止手段３２を付勢手段３５に抗して下動された状態にある。
【００３３】
そこで、ゲーム装置２からの当たり信号により駆動源１８が作動し、駆動アーム２１を回転駆動すると、移送テーブル１０が往動し、第一移送手段１１を前記ストロークＳ１だけ往動させる。このとき、第二移送手段１２は前記ストロークＳ２だけ往動する。図４及び図８は駆動アーム２１がほぼ９０度回転することにより第一移送手段１１をストロークＳ１の約１／２まで往動させた状態を示し、図９は更に第一移送手段１１を往動させた状態を示しており、図５及び図１０は、ストロークＳ１の終点Ｐ２まで往動した状態を示している。
【００３４】
第一移送手段１１が往動するとき、第一係止手段２６は、開口９に臨む係止部２８を第一物品積層体Ａにおける最下位の物品ａ１の上流端に係止し、第一係止手段２６が始点Ｐ１から終点Ｐ２まで往動することにより、該物品ａ１をストロークＳ１だけ移送する。従って、この物品ａ１が移動することにより、図８ないし図１０に示すように、第二物品積層体Ｂにおける最下位の物品ｂ１が出口４に押し出され、景品として搬出される。そして、このように第一物品積層体Ａから移送された前記物品ａ１は、第二物品積層体Ｂの最下位に位置せしめられる。これにより上述した間接押出工程が実施される。
【００３５】
間接押出工程の実行中、第二移送手段１２は、移送中の物品ａ１の下側に位置することにより第一係止手段２６を下動した状態にあり、従って、該物品ａ１が第一レール１３から傾斜レール１５を経て第二レール１４に移動される間、即ち、第二移送手段１２が始点Ｐ２から終点Ｐ３まで往動する間、係止部３４をこれらのレールの上面よりも上方に突出するように上動することはない。
【００３６】
第一移送手段１１により移送される物品ａ１は、第一レール１３から第二レール１４に移動するとき、傾斜レール１５に沿って移送方向の前端を上向き姿勢とされ、第二物品積層体Ｂの最下位の物品ｂ１よりも上位の物品ｂ２ないしｂ５を押し上げながら前進し、最下位の物品ｂ１を出口４に向けて好適に押し出す。最下位の物品ｂ１が押し出されている間、上位の物品ｂ２は、出口４の上方で規制壁８ｂに拘束されているので、該物品ｂ２が前記物品ｂ１に同行して移動することはない。
【００３７】
間接押出工程に際して、第一基準面Ｌ１と第二基準面Ｌ２は、傾斜レール１５を介して高低差ｈを有しているので、第一移送手段１１により移送される物品ａ１が第二物品積層体Ｂの最下位の物品ｂ１よりも上位の物品ｂ２に係止することはなく、最下位の物品ｂ１だけを出口４に向けて押し出す。しかも、高低差ｈは、各物品の高さ寸法ｔよりも小さく形成されているので、移送される物品ａ１が第二物品積層体Ｂの最下位の物品ｂ１の下に潜り込むようなこともない。
【００３８】
往動が終了し、前記物品ｂ１を出口４に押し出した状態で、第一移送手段１１がその終点Ｐ２に位置し、第二移送手段１２が出口４に臨む終点Ｐ３に位置する。この状態で、図１０に示すように、第一物品積層体Ａから移送された物品ａ１が第二物品積層体Ｂの最下位に位置する。このため、第二移送手段１２の第二係止手段３２は下動した状態を維持している。前記物品ａ１が第一物品積層体Ａから第二物品積層体Ｂに移動する結果、第一物品積層体Ａでは、次位の物品ａ２が下降し最下位に位置する。この下降する物品ａ２の荷重により、前記終点Ｐ２に位置する第一移送手段１１は、第一係止手段２６を下動せしめられる。
【００３９】
そこで、駆動源１８により駆動アーム２１を回動し続けることにより、移送テーブル１０を復動する。この際、第一移送手段１１は、第一係止手段２６のカム手段３０を前記第一物品積層体Ａにおける下降した物品ａ２の下面に摺動させながら終点Ｐ２から始点Ｐ１まで復動させられ、始点Ｐ１に到達し開口９に臨むや否や、付勢手段２９により係止部２８を第一基準面Ｌ１から突出するように上動する。また、第二移送手段１２は、第二係止手段３２のカム手段３６を第二物品積層体Ｂの最下位の物品ａ１の下面に摺動させながら復動し、更に、該カム手段３６を第一物品積層体Ａの最下位の物品ａ２の下面に位置せしめた状態で復動を終了する。即ち、第二係止手段３２は下動状態を維持する。
【００４０】
移送テーブル１０が復動を終了した位置まで移動すると、前述のように検知手段２５が位置を検出し、駆動源１８を停止する。
【００４１】
このような間接押出工程は、第一ストッカー３ａにおける第一物品積層体Ａの物品が欠乏するまで繰り返して行われる。
【００４２】
（直接押出工程）
図１１ないし図１３は、第一ストッカー３ａの第一物品積層体Ａにおける物品が欠乏した後に行われる直接押出工程を示している。図示の状態において、第二ストッカー３ｂの第二物品積層体Ｂには、第一物品積層体Ａから移送された最後の物品ａ５が最下位に位置せしめられている。
【００４３】
この状態において、第二移送手段１２は、物品を欠乏した第二ストッカー３ｂの下方に位置するので、付勢手段３５により第二係止手段３２を上動せしめている。そこで、ゲーム装置２からの当たり信号により駆動源１８が作動し、駆動アーム２１を回転駆動すると、移送テーブル１０が往動し、第二移送手段１２を前記ストロークＳ２（図３参照）だけ往動させる。
【００４４】
第二移送手段１２は、往動時に、第二係止手段３２の係止部３４を第二物品積層体Ｂにおける最下位の物品ａ５の上流端に係止している。従って、第二係止手段３４が始点Ｐ２から終点Ｐ３（図３参照）まで往動することにより、該物品ａ５をストロークＳ２だけ移送し、出口４から押し出し、景品として搬出する。これにより上述した直接押出工程が実施される。
【００４５】
図１２に示すように、最下位の物品ａ５が完全に押し出されるまでは上位の物品ｂ２が下降することはないので、第二係止手段３２は係止部３４を第二基準面Ｌ２から突出した状態で物品５ａを好適に押し出す。係止部３４が終点Ｐ３に到達し往動が終了するや否や、次位の物品ｂ２が下降し最下位に位置する。従って、この下降する物品ｂ２の荷重を受けることにより、前記終点Ｐ３に位置する第二係止手段３２の下動状態が維持される。
【００４６】
そこで、駆動源１８により駆動アーム２１を回動し続けることにより、移送テーブル１０を復動する。この際、図１３に示すように、第二移送手段１２は、第二係止手段３２のカム手段３６を前記第二物品積層体Ｂにおける下降した物品ｂ２の下面に摺動させながら終点Ｐ３から始点Ｐ２まで復動させられ、始点Ｐ２に到達するや否や、付勢手段３５により係止部３４を第一レール１３から突出するように上動される。
【００４７】
移送テーブル１０が復動を終了した位置まで移動すると、前述のように検知手段２５が位置を検出し、駆動源１８を停止する。
【００４８】
このような直接押出工程は、第二ストッカー３ｂにおける第二物品積層体Ｂの物品が欠乏するまで繰り返して行われる。
【図面の簡単な説明】
【００４９】
【図１】本発明をゲーム機に適用した実施形態を示す正面図である。
【図２】本発明の方法を説明する概略図であり、（Ａ）（Ｂ）（Ｃ）（Ｄ）は間接押出工程を示す説明図、（Ｅ）（Ｆ）は直接押出工程を示す説明図である。
【図３】本発明における供給手段の１実施形態を示しており、移送テーブルの往動開始前の状態を示す平面図である。
【図４】移送テーブルの往動中の状態を示す平面図である。
【図５】移送テーブルが終点まで往動した状態を示す平面図である。
【図６】本発明における供給手段の１実施形態を示しており、移送テーブルの往動開始前の状態を示す縦断面図である。
【図７】間接押出工程の実行に関して、移送テーブルが往動を開始するときの状態を示す縦断面図である。
【図８】間接押出工程の実行に関して、移送テーブルの往動中の状態を示す縦断面図である。
【図９】間接押出工程の実行に関して、移送テーブルの往動中の状態を示す縦断面図である。
【図１０】間接押出工程の実行に関して、移送テーブルが終点まで往動した状態を示す縦断面図である。
【図１１】直接押出工程の実行に関して、移送テーブルが往動を開始するときの状態を示す縦断面図である。
【図１２】直接押出工程の実行に関して、移送テーブルの往動中の状態を示す縦断面図である。
【図１３】直接押出工程の実行に関して、移送テーブルの復動中の状態を示す縦断面図である。
【符号の説明】
【００５０】
Ａ    第一物品積層体
Ｂ    第二物品積層体
３ａ  第一ストッカー
３ｂ  第二ストッカー
４    出口
５    供給手段
９    開口
１０    移送テーブル
１１    第一移送手段
１２    第二移送手段
１３    第一レール
１４    第二レール
１５    傾斜レール
１８    駆動源
２６    第一係止手段
２８    係止部
２９    付勢手段
３０    カム手段
３２    第二係止手段
３４    係止部
３５    付勢手段
３６    カム手段
【図１】
2007041995.tif 000003
【図２】
2007041995.tif 000004
【図３】
2007041995.tif 000005
【図４】
2007041995.tif 000006
【図５】
2007041995.tif 000007
【図６】
2007041995.tif 000008
【図７】
2007041995.tif 000009
【図８】
2007041995.tif 000010
【図９】
2007041995.tif 000011
【図１０】
2007041995.tif 000012
【図１１】
2007041995.tif 000013
【図１２】
2007041995.tif 000014
【図１３】
2007041995.tif 000015